(57)【要約】【課題】  コンセントに液体が付着することを防止できるコンセントケースを提供すること。【解決手段】  キャビネットに載置されたカウンターの後部から上方に延びる後壁Ｂに取り付けられるコンセント２０を、コンセント設置部１２を備えたコンセントケース１０を介して設置した。コンセント設置部１２は、コンセント２０の前面２２ａを前面１２ｂに露出させてコンセント２０の周側部を覆うようにした。そして、コンセント設置部１２の上面１２ａを、上方から流れてくる液体を側方に流す傾斜面で構成した。【選択図】  図３
2015106431.tif 000002
【特許請求の範囲】
【請求項１】
キャビネットに載置されたカウンターの後部から上方に延びる壁部に設置されるコンセントを収容するコンセントケースであって、
前記コンセントの差込面を前面に露出させて前記コンセントの周側部を覆い、上面が、上方から流れてくる液体を側方に流す傾斜面で構成されたコンセント設置部を備えていることを特徴とするコンセントケース。
【請求項２】
前記コンセント設置部の上方に、前記コンセント設置部の上面に沿って左右に延び前記コンセント設置部の前面よりも後方に窪んだ凹面部と、前記凹面部の上縁部に沿って左右に延びる突条部とを形成した請求項１に記載のコンセントケース。
【請求項３】
前記突条部の下面を、上方から流れてくる液体を前記コンセント設置部の側方に流す傾斜面で構成した請求項２に記載のコンセントケース。
【請求項４】
前記コンセント設置部の側部に、前記コンセント設置部の上面に形成された傾斜面に連通して、前記上面から流れてくる液体を下方に導くガイド溝を形成した請求項１ないし３のうちのいずれか一つに記載のコンセントケース。
【請求項５】
少なくとも前記コンセント設置部の前面と前記コンセントの差込面とを開閉可能に覆うカバーを設け、前記カバーの裏面における前記コンセント設置部の上部に対向する部分に、上方から流れてくる液体を側方に流す突条を形成した請求項１ないし４のうちのいずれか一つに記載のコンセントケース。
【発明の詳細な説明】
【技術分野】
【０００１】
本発明は、キッチンに設置されるキャビネットに載置されたカウンターの後部から上方に延びる壁部に設置されるコンセントを覆うコンセントケースに関する。
【背景技術】
【０００２】
従来から、台所に設けられたシンクを備えたカウンターの近傍には、コンセントを設置して、カウンターの上面で各種の電気器具を使用できるようにしている。このようなコンセントの中に、カウンターで使用する水や調理用液体等の液体がかかることを防止するためにコンセントケースで覆われたものがある（例えば、特許文献１参照）。
【０００３】
このコンセントを覆うコンセントケースは、刃受穴を露出させた状態でコンセント本体（コンセント）が取り付けられる取付枠と、取付枠の前面に取り付けられ露出窓から刃受穴を露出させるプレート本体と、プレート本体の前面上端部に回動自在に設けられてコンセント本体の前面を開閉するカバーを備えている。また、プレート本体の前面の周縁部には露出窓を囲むように周壁が立設されている。このように、カバーを備えていることによって、コンセント本体に水や油などの液体がかかることを防止できる。
【先行技術文献】
【特許文献】
【０００４】
【特許文献１】特開２００４−１９２８３０号公報
【発明の概要】
【発明が解決しようとする課題】
【０００５】
しかしながら、前述した従来のコンセントケースでは、周壁部の上部が水平に形成されているため、カウンターの後部の壁部にかかった液体が壁部に沿って流下してきてプレート本体とカバーとの隙間からコンセントケースの内部に入ると、その液体がコンセント本体に付着する虞がある。
【課題を解決するための手段】
【０００６】
本発明は、前述した問題に対処するためになされたもので、その目的は、コンセントに液体が付着することを防止できるコンセントケースを提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係るコンセントケースの構成上の特徴は、キッチンに設置されるキャビネットに載置されたカウンターの後部から上方に延びる壁部（Ｂ）に設置されるコンセント（２０）を収容するコンセントケース（１０）であって、コンセントの差込面（２２ａ）を前面に露出させてコンセントの周側部を覆い、上面（１２ａ）が、上方から流れてくる液体を側方に流す傾斜面で構成されたコンセント設置部（１２）を備えていることにある。ここで、キッチンに設置されるキャビネットに載置されたカウンターは、調理できる場所を備えていれば良い。
【０００８】
この場合、コンセント設置部の上面に形成された傾斜面は、両側よりも中央が高くなった山形に形成されていてもよいし、一方の側部から他方の側部にかけて略直線状に傾斜した傾斜面であってもよい。要は、コンセント設置部におけるコンセントが設置された部分の上方に液体が流れてきたときに、その液体をコンセント設置部の左右両側またはその一方に導くように形成された傾斜面であればよい。これによって、液体がコンセントに付着することを防止できる。また、コンセントケースは、コンセント設置部の前面を、コンセントの差込面と同一面上に位置させるようにして設置されることが好ましい。これによると、通常サイズのプラグだけでなく、ＡＣアダプタ等を内臓した大型プラグも確実にコンセントに差し込むことが可能になる。
【０００９】
本発明に係るコンセントケースの他の構成上の特徴は、コンセント設置部の上方に、コンセント設置部の上面に沿って左右に延びコンセント設置部の前面（１２ｂ）よりも後方に窪んだ凹面部（１３）と、凹面部の上縁部に沿って左右に延びる突条部（１４）とを形成したことにある。
【００１０】
この場合の突条部としては、前面と下面との境界部を曲面で構成したり、下面を前部よりも後部が低くなった傾斜面に形成したりして、上方から液体が流れてきたときに、その液体が凹面部を通過してコンセント設置部の上面に流れるようにすることが好ましい。また、突条部における前面と下面との角部が直角または鋭角になっていれば、突条部の前面がコンセント設置部の前面よりも後方または前方に位置するようにすることが好ましい。これによると、突条部の上方から流れてきた液体が、突条部の前面の下端から落下した場合に、その液体は、コンセント設置部の上面または空中に落下するため、コンセントに付着することを防止できる。
【００１１】
本発明に係るコンセントケースのさらに他の構成上の特徴は、突条部の下面（１４ａ）を、上方から流れてくる液体をコンセント設置部の側方に流す傾斜面で構成したことにある。
【００１２】
本発明に係る突条部の下面に形成された傾斜面も、両側よりも中央が高くなった山形に形成された傾斜面であってもよいし、一方の側部から他方の側部にかけて略直線状に傾斜した傾斜面であってもよいが、コンセント設置部の上面に形成された傾斜面に平行することが好ましい。これによると、突条部の上方から流れてきた液体の殆どは、突条部の下面に沿ってコンセントケースの側部に流れ、突条部の下面からコンセントケースの側部に流れなかった液体は、突条部の下面から凹面部とコンセント設置部の上面を通過してコンセントケースの側部に流れる。
【００１３】
本発明に係るコンセントケースのさらに他の構成上の特徴は、コンセント設置部の側部に、コンセント設置部の上面に形成された傾斜面に連通して、上面から流れてくる液体を下方に導くガイド溝（１３ｂ）を形成したことにある。
【００１４】
本発明によると、コンセントケースの側部に流れてきた液体をコンセントケースの側部の下部側にガイドすることができるため、液体がコンセント側に流れることを確実に防止できる。また、本発明において、ガイド溝がコンセント設置部の上面に形成された傾斜面に連通するとは、コンセント設置部の上面とガイド溝との間に障害物などがなく、コンセント設置部の上面の液体がスムーズにガイド溝に流れることができる状態になっていることである。
【００１５】
本発明に係るコンセントケースのさらに他の構成上の特徴は、少なくともコンセント設置部の前面とコンセントの差込面とを開閉可能に覆うカバー（１６）を設け、カバーの裏面におけるコンセント設置部の上部に対向する部分に、上方から流れてくる液体を側方に流してコンセントに付着することを防止する突条（１６ｅ）を形成したことにある。
【００１６】
本発明によると、カバーを閉じて、コンセント設置部の前面とコンセントの差込面とを覆っているときに、コンセントケースの周囲で液体が飛び散ってもカバーによって液体がコンセントにかかることが防止される。また、コンセントケースの上部から内部に液体が浸入した場合には、液体は突条に伝わってカバーの側方に流れるため、コンセントに液体がかかることが防止される。
【図面の簡単な説明】
【００１７】
【図１】本発明の一実施形態に係るコンセントケースを備えたコンセント装置示した斜視図である。
【図２】コンセント装置のカバーを水平方向に開いた状態を示した斜視図である。
【図３】コンセント装置のカバーを上方に開いた状態を示した斜視図である。
【図４】コンセント装置の分解斜視図である。
【図５】カバーを示した断面図である。
【図６】カバーを外したコンセント装置を示した正面図である。
【図７】コンセント装置を示した裏面図である。
【図８】壁部にコンセント装置を取り付けた状態を示した断面図である。
【図９】コンセント装置のカバーを閉じた状態を示した側面図である
【図１０】コンセント装置のカバーを水平方向に開いた状態を示した側面図である。
【図１１】小型のプラグを示した平面図である。
【図１２】大型のプラグを示した平面図である。
【発明を実施するための形態】
【００１８】
以下、本発明の一実施形態を図面を用いて説明する。図１ないし図３は、同実施形態に係るコンセントケース１０を備えたコンセント装置Ａを示している。なお、以下の説明において、前後、左右、上下の各方向は、図１ないし図３に基づいたものとじ、各図の前方側やや斜め右方向が前方、後方側やや斜め左方向が後方、左側やや斜め前方が左方向、右側やや斜め後方が右方向であるとする。また、このコンセント装置Ａは、シンクや水栓金具、調理用コンロを備えたハイバックカウンター式のキッチンシステム（図示せず）の後壁Ｂ（図８参照）に取り付けられている。ここで、後壁Ｂは、カウンターの奥側に一体に形成された垂直の壁面である。後壁Ｂの高さは、カウンターの上面または後壁Ｂに取り付けられた水栓金具の吐出口よりも高い。
【００１９】
コンセント装置Ａは、コンセントケース１０とコンセント２０で構成されている。コンセントケース１０は、ケース本体１１と、カバー１６とを備えており、図４に示した、一対の固定金具１７と、それぞれ一対のウレタンパッキン１８ａ，１８ｂと、複数の固定ねじ１９ａ，１９ｂを用いて後壁Ｂに固定される。ケース本体１１は、樹脂の成形体からなっており、略矩形枠状のベース部１１ａの内側に、前方に盛り上がった箱状台部１１ｂを形成して構成されている。また、ベース部１１ａの後面における内周側には、周面に沿った凹部１１ｃ（図８参照）が形成されている。このケース本体１１の左右方向の幅は５０ｍｍ程度で、上下方向の長さは８０ｍｍ程度で、前後方向の長さは２０ｍｍ程度に設定されている。
【００２０】
箱状台部１１ｂの中央部分から下部にかけての部分はコンセント設置部１２で構成され、その上方部分は、下から順に、コンセント設置部１２よりも後方に凹んだ凹面部１３と、凹面部１３よりも前方に突出した突条部１４と、突条部１４よりも僅かに前方に突出したカバー支持部１５で構成されている。コンセント設置部１２は、上面１２ａが中央から左右両側にいくほど徐々に低くなるように湾曲した曲面に形成され、前面１２ｂが略平面に形成されている。そして、前面１２ｂの中央部から上部側にかけての部分に前後に貫通する矩形の窓部１２ｃが形成され、下部における左右方向の中央部分にねじ挿通穴１２ｄが形成されている。上面１２ａの中央部分は半径が３５ｍｍの円弧を形成するように湾曲しておりその両側部分は半径が２．５ｍｍの円弧を形成するように湾曲している。また、窓部１２ｃは、左右の幅が２３ｍｍで、上下の長さが２８ｍｍに設定されている。
【００２１】
凹面部１３は、コンセント設置部１２の前面１２ｂよりも後方に凹み正面視による形状がアーチ状に湾曲した凹部で構成されており、コンセント設置部１２の上縁部に沿って形成されている。凹面部１３の幅（円弧の中心から下縁部と上縁部との間のそれぞれの距離の差）は１０ｍｍ程度に設定され、凹面部１３の左右方向の中央上部にはねじ挿通穴１３ａが形成されている。
【００２２】
そして、凹面部１３の左右両端からは、コンセント設置部１２の両側部に沿って下方に延びるガイド溝１３ｂがそれぞれ形成されている。この一対のガイド溝１３ｂは、箱状台部１１ｂの前面におけるコンセント設置部１２の左右両側部分に上下に延びる凹部を形成することにより構成されており、後面は凹面部１３と同一面上に位置している。ガイド溝１３ｂの下端は、それぞれ窓部１２ｃの下端よりも少し下方まで延びている。また、各ガイド溝１３ｂは、それぞれ左右の幅が１．５ｍｍで、前後の深さが３ｍｍ程度に設定されている。
【００２３】
突条部１４は、凹面部１３よりも前方に突出して左右に延びる凸部で構成されており、下面部１４ａが凹面部１３の上縁部に沿って形成され、前面部１４ｂの上縁部が水平方向に延びている。突条部１４の前面部１４ｂは、コンセント設置部１２の前面１２ｂより前方に突出しており、突条部１４の下面部１４ａと前面部１４ｂの境界部分は半径の小さな曲面に形成されている。また、下面部１４ａと凹面部１３の境界部分も半径の小さな曲面に形成されている。この突条部１４の両端部分の上下方向の長さは、前述した凹面部１３の幅の半分程度に設定されている。なお、突条部１４の前面部１４ｂがコンセント設置面１２の前面部１２ｂよりも突出している場合であっても、コンセント設置面１２の側方および下方には突出している部分がないので、大型プラグ等を差込可能である。
【００２４】
カバー支持部１５は、突条部１４との間に段差１５ａを設けるようにして突条部１４よりも僅かに前方に突出して左右に延びる凸部で構成されており、突条部１４の上縁部に沿って形成されている。また、カバー支持部１５の前面部１５ｂは、上端側から下端側に行くほど徐々に後方に位置するように傾斜している。このカバー支持部１５の上下方向の長さは、突条部１４の両端部分の上下方向の長さと同じ程度に設定されている。そして、カバー支持部１５の左右両側面には、それぞれ軸方向の長さが短い円柱状の一対の支軸１５ｃが側方に向かって突出している。
【００２５】
さらに、箱状台部１１ｂの左右両側面における支軸１５ｃの後方に一対の小突起１１ｄがそれぞれ形成され、箱状台部１１ｂの左右両側面における突条部１４の側面の後方に、一対の小突起１１ｅがそれぞれ形成されている。箱状台部１１ｂの側面に対して、小突起１１ｄは、中央部が高く上下に行くほど低くなった凸部で構成され、小突起１１ｅは中央部が高く前後に行くほど低くなった凸部で構成されている。各支軸１５ｃと各小突起１１ｄとのそれぞれの距離と、各支軸１５ｃと各小突起１１ｅとのそれぞれの距離とは同じに設定されている。
【００２６】
カバー１６は、一対の支軸１５ｃに回転可能に取り付けられて、ケース本体１１の箱状台部１１ｂを開閉するもので、前面部１６ａと、左右一対の側面部１６ｂを備えた断面形状が略コ字状の部材で構成されている。前面部１６ａは、箱状台部１１ｂの前面における突条部１４を除いた部分を覆える形状に形成され、一対の側面部１６ｂはそれぞれ箱状台部１１ｂの側面全体を覆える形状に形成されている。このため、側面部１６ｂの上端（カバー１６を閉じたときの上端）は、前面部１６ａの上端よりも上方に突出しており、その突出した部分の上端に互いに対向して内部側に突出する係止片１６ｃがそれぞれ形成されている。また、側面部１６ｂの上方に突出した部分の内面に、図５に示した軸受け部１６ｄがそれぞれ形成されている。
【００２７】
軸受け部１６ｄは、後部と内部側が開口した穴を備えており内部に支軸１５ｃが挿し込まれる。軸受け部１６ｄの後部の開口の幅は支軸１５ｃの直径よりも少し短くなっており、その開口を形成する部分は弾性を備えている。このため、軸受け部１６ｄの後部の開口を支軸１５ｃに合わせた状態で、カバー１６をケース本体１１に押し付けると、支軸１５ｃは、軸受け部１６ｄの開口を押し広げるようにして、軸受け部１６ｄの内部に入り、回転自在の状態で支持される。また、前面部１６ａの裏面には、カバー１６で箱状台部１１ｂを覆ったときに、コンセント設置部１２の上部と一対のガイド溝１３ｂを覆うことのできる逆Ｕ字状の突条１６ｅが形成されている。
【００２８】
一対の固定金具１７は、ケース本体１１と後述するコンセント２０を支持した状態で後壁Ｂに組み付けられるもので、同じもので構成されている。なお、後壁Ｂには、コンセント２０を設置できる設置穴Ｂ’が形成されており、コンセント装置Ａは、この設置穴Ｂ’を介して後壁Ｂに取り付けられる。各固定金具１７は、水平に配置される基板１７ａ（図８参照）と、基板１７ａと直交して基板１７ａの前後にそれぞれ形成された固定片１７ｂおよび支持片１７ｃと、基板１７ａの左右に形成された一対の爪部１７ｄとで構成されている。固定片１７ｂには、一定間隔で３つのねじ穴１７ｅが形成されている。
【００２９】
一対の爪部１７ｄは、弾性を備えた細長い板状に形成されており、基板１７ａから固定片１７ｂおよび支持片１７ｃが延びる方向と反対側で、互いの間隔を広げるようにして斜め方向に延びている。そして、一方の固定金具１７は、固定片１７ｂを下方に向けて前方に位置させ、支持片１７ｃを下方に向けて後方に位置させた状態で、基板１７ａを設置穴Ｂ’の周面の下部に接面させて配置される。また、他方の固定金具１７は、固定片１７ｂを上方に向けて前方に位置させ、支持片１７ｃを上方に向けて後方に位置させた状態で、基板１７ａを設置穴Ｂ’の周面の上部に接面させて配置される。
【００３０】
ウレタンパッキン１８ａ，１８ｂは、ベース部１１ａの後面に形成された凹部１１ｃに配置されて、ケース本体１１と後壁Ｂの間でクッションとして機能するもので、ウレタンパッキン１８ａは、凹部１１ｃの左右にそれぞれ配置され、ウレタンパッキン１８ｂは、凹部１１ｃの上下にそれぞれ配置される。また、コンセント２０は、箱状に形成されたコンセント本体２１の前面中央に差込面形成部２２を突出させるとともに、コンセント本体２１の前面の上下からそれぞれ上下方向に台形板状の突出片２３を突出させて構成されており、各突出片２３にはそれぞれねじ挿通穴２３ａが形成されている。差込面形成部２２は、コンセント設置部１２の窓部１２ｃに挿入できる大きさに形成され、２つのねじ挿通穴２３ａの間隔は、ねじ挿通穴１２ｄとねじ挿通穴１３ａの間隔と同じに設定されている。
【００３１】
以上のように各部材が構成されたコンセントケース１０を用いて、コンセント２０を後壁Ｂの設置穴Ｂ’に取り付けるには、まず、一対の固定金具１７をそれぞれ設置穴Ｂ’の上下に配置し、それぞれ２個の固定ねじ１９ｂを各固定金具１７の外側の２つのねじ穴１７ｅに螺合させて先端部を後壁Ｂに押し付けることによって一対の固定金具１７を固定する。ついで、コンセント２０を後部側から一対の固定金具１７間に差し込む。つぎに、ウレタンパッキン１８ａ，１８ｂをコンセント本体２１の凹部１１ｃに入れた状態で、窓部１２ｃ内に差込面形成部２２を入れるようにしてコンセント本体２１をコンセント２０に組み付ける。
【００３２】
そして、２個の固定ねじ１９ａの一方をねじ挿通穴１２ｄに通して一方の固定金具１７の中央のねじ穴１７ｅに螺合させ、他方の固定ねじ１９ａをねじ挿通穴１３ａに通して他方の固定金具１７の中央のねじ穴１７ｅに螺合させることにより、コンセントケース１０を一対の固定金具１７に固定する。これによって、コンセントケース１０とコンセント２０は、図６および図７に示した状態になる。この場合、コンセント２０は、一対の固定金具１７の爪部１７ｄによって支持され、差込面形成部２２の前面２２ａは、コンセント設置部１２の前面１２ｂと略同一面上に位置する。なお、図７は、コンセントケース１０とコンセント２０を後壁Ｂ側から見た状態を示している。
【００３３】
つぎに、カバー１６をケース本体１１に前方から押し付けて、軸受け部１６ｄ内に支軸１５ｃを入れることにより、図８に示したように後壁Ｂに取り付けられたコンセント装置Ａを得ることができる。この場合、カバー１６の前面部１６ａの上端部は、突条部１４とカバー支持部１５の間の段差１５ａに位置し、一対の側面部１６ｂの後縁部は、ベース部１１ａの前面における左右両側部分に略接触する。その状態から、前面部１６ａの下端部を手前から上方に持ち上げることにとり、カバー１６は支軸１５ｃを中心として回転して、ケース本体１１が露出する。また、カバー１６が上がった状態から、カバー１６を下方に押さえることにより、カバー１６を回転させてケース本体１１を覆うことができる。
【００３４】
図９および図１０は、カバー１６を開閉したときのケース本体１１の小突起１１ｄと小突起１１ｅに対するカバー１６の係止片１６ｃの位置関係を示している。図９では、カバー１６は閉じており、この場合、係止片１６ｃの内面に小突起１１ｄの上端が当接している。このため、カバー１６は、上方に回転する力が加わらないかぎり閉じた状態を維持する。そして、カバー１６の下端部を上方に持ち上げてカバー１６を回転させると、係止片１６ｃは小突起１１ｄを乗り越え、さらに、カバー１６を回転させると、係止片１６ｃは小突起１１ｅも乗り越える。係止片１６ｃが小突起１１ｅを乗り越えたときに、手を放してカバー１６の回転を停止させると、図１０に示したように、係止片１６ｃの外面に小突起１１ｅの前端が当接して、カバー１６は９０度開いて水平方向に延びる姿勢に維持される。
【００３５】
これによって、コンセント設置部１２の窓部１２ｃに位置しているコンセント２０の差込面形成部２２に、所定の電気器具（図示せず）に備わったケーブルのプラグを差し込んでその電気器具を使用することができる。この場合のプラグとしては、図１１に示した小型のプラグ２５や、図１２に示した大型のプラグ２６を用いることができる。プラグ２５は、可撓性のケーブル２５ａの先端に設けられた手でつまめる程度の小さなプラグ本体２５ｂから一対のピン２５ｃを突出させて構成されている。プラグ２６は、可撓性のケーブル２６ａの先端に設けられたブロック状のプラグ本体２６ｂから一対のピン２６ｃを突出させて構成されている。プラグ本体２６ｂの内部にはＡＣアダプタ等が内蔵されており、このため、プラグ本体２６ｂは大型で重量も重くなっている。
【００３６】
本実施形態に係るコンセントケース１０では、コンセント設置部１２の前面１２ｂおよびその周囲に突起物等の障害物がないため、プラグ２６のような大型のものであっても適正状態で差し込むことができる。また、図１０に示した状態では、カバー１６が庇の機能を発揮して、上方から液体や物が落下してきたときには、プラグ２５やプラグ２６を保護することができる。さらに、カバー１６が邪魔になる場合は、カバー１６を、図１０に示した状態から上方に押し上げて、図３の状態にすることもできる。
【００３７】
また、電気器具の使用が終了して、カバー１６を閉じる場合には、カバー１６を下方に押して回転させる。これにより、係止片１６ｃは小突起１１ｅを乗り越え、さらに、小突起１１ｄを乗り越えて、図９の状態になる。係止片１６ｃが小突起１１ｅと小突起１１ｄを乗り越えるときに、「カチッ」という音が発生するとともにクリック感が得られる。これによって、カバー１６の移動位置や係合状態を確認することができる。
【００３８】
また、カバー１６を閉じた状態で、シンクで水や調理用液体等の液体を使用したときに、その液体が飛び散った場合には、カバー１６によって、コンセント２０に液体が付着することが防止される。また、ケース本体１１の上部とカバー１６の上部との隙間から、コンセント装置Ａの内部に液体が浸入した場合には、液体は、突条部１４の前面部１４ｂに沿って下方に移動し、その一部は、前面部１４ｂと下面部１４ａの境界部分で左右に分かれ、左右のガイド溝１３ｂ内で下方に流れていく。
【００３９】
また、残りの液体の一部は、下面部１４ａから凹面部１３に流れたのちに、コンセント設置部１２の上面１２ａに流れ、上面１２ａで左右に分かれ、左右のガイド溝１３ｂ内で下方に流れていく。そして、残りの液体は、カバー１６の突条１６ｅの上部に流れ、左右に分かれて突条１６ｅの外面に沿って下方に流れていく。このように、コンセント装置Ａの内部に浸入した液体は、コンセント２０を回避しながらコンセント装置Ａの下方に流れていく。なお、前述の説明では、液体が３つのルートを通るものとしたが、液体が、１つのルートを通る場合もあるし、所定の２つのルートを通る場合もある。
【００４０】
以上のように、本実施形態に係るコンセントケース１０は、コンセント２０を収容するコンセント設置部１２に窓部１２ｃを設けて、差込面形成部２２の前面２２ａを前方に露出させている。そして、差込面形成部２２の前面２２ａがコンセント設置部１２の前面１２ｂと同一面上に位置するようにしている。このため、差込面形成部２２の前面２２ａの周囲に障害物がなくなり、小型のプラグ２５だけでなく、ＡＣアダプタ等を内臓した大型のプラグ２６も確実に差し込めるようになる。
【００４１】
また、コンセント設置部１２の上面１２ａが、中央から左右両側に行くほど徐々に低くなる湾曲した傾斜面に形成されているため、コンセント設置部１２の上方から液体が流れてくると、その液体はコンセント設置部の左右両側またはその一方にながれていく。これによって、液体がコンセント２０に付着することを防止できる。さらに、コンセント設置部１２の上方に、凹面部１３が形成され、その上方に、下面部１４ａが中央から左右両側に行くほど徐々に低くなる湾曲した傾斜面に形成された突条部１４が形成されている。このため、突条部１４の上方から液体が流れてくると、その液体は凹面部１３を通過してコンセント設置部１２の上面１２ａに流れるか、下面部１４ａに沿って左右両側に流れていく。これによって、液体がコンセント２０に付着することをより確実に防止できる。
【００４２】
また、コンセント設置部１２の両側部に、それぞれガイド溝１３ｂを形成したため、コンセント設置部１２の側部上方に流れてきた液体をコンセント２０を回避させて下方に流すことができ、これによって、液体がコンセント２０側に流れることを確実に防止できる。さらに、本実施形態に係るコンセントケース１０には、裏面に突条１６ｅが形成されたカバー１６が備わっている。このため、カバー１６を閉じているときに、液体がコンセント２０にかかることを防止できるとともに、上方からコンセントケース１０の内部に液体が浸入したときに、その液体を突条１６ｅに沿わせてカバー１６の側方から下方に流すことができる。
【００４３】
また、本実施形態に係るコンセントケース１０は、ハイバックカウンター式のキッチンシステムに備わった後壁Ｂに取り付けられている。このハイバックカウンター式のキッチンシステムは、室内の壁面に沿って配置されてもよいし、空間部に配置して対面式にして用いてもよい。このため、シンクで用いる水や液体調味料がコンセント２０に付着する場合があっても、コンセント２０をコンセントケース１０を介して後壁Ｂに取り付けることにより、前述した良好な効果を得ることができる。
【００４４】
本発明に係るコンセントケース１０は、前述した実施形態に限定するものでなく適宜変更して実施することができる。例えば、前述した実施形態では、コンセント設置部１２の上面１２ａの形状を、両側よりも中央が高くなった形状にしているが、一方の側部から他方の側部にかけて略直線状に傾斜した傾斜面や、中央から両側に向かって直線状に下方に傾斜した傾斜面にしてもよい。また、コンセントケース１０には、カバー１６が備わっているが、このカバー１６は省略することもできる。
【００４５】
さらに、前述した実施形態では、突条部１４の下面部１４ａと前面部１４ｂの境界部分を曲面にしているが、これを直角または鋭角にすることができる。この場合、カバー１６が備わっていなければ、突条部１４の前面１４ｂがコンセント設置部１２の前面１２ｂよりも後方または前方に位置するようにすることが好ましい。前面１４ｂを後方にした場合には、突条部１４から液体が落下した場合に、液体はコンセント設置部１２の上面１２ａに落下し、前方にした場合には、空中を落下していく。このため、液体が差込面形成部２２の前面２２ａに落下することを防止できる。また、コンセントケース１０のそれ以外の構成についても、本発明の技術的範囲で適宜変更することができる。
【符号の説明】
【００４６】
１０…コンセントケース、１２…コンセント設置部、１２ａ…上面、１２ｂ…前面、１３…凹面部、１３ｂ…ガイド溝、１４…突条部、１４ａ…下面部、１６…カバー、１６ｅ…突条、２０…コンセント、２２ａ…前面、Ｂ…後壁。
【図１】
2015106431.tif 000003
【図２】
2015106431.tif 000004
【図３】
2015106431.tif 000005
【図４】
2015106431.tif 000006
【図５】
2015106431.tif 000007
【図６】
2015106431.tif 000008
【図７】
2015106431.tif 000009
【図８】
2015106431.tif 000010
【図９】
2015106431.tif 000011
【図１０】
2015106431.tif 000012
【図１１】
2015106431.tif 000013
【図１２】
2015106431.tif 000014